(57)【特許請求の範囲】
【請求項１】
治療に使用するシリンジであって、
両端が開口したバレルと、
前記バレル先端に装着された、先端側の軸が基端側の軸に対して鈍角に屈曲するノズルと、
前記バレルの基端側より挿入された、前記バレル内を液密に摺動可能なプランジャーとを含み、
前記バレルの先端から前記ノズル先端までの内腔は先端に向かって縮径するテーパ状になっており、
前記ノズルの先端は、ノズル先端側の軸に対して垂直な面を有しない中空円錐台状の先端部を形成してなる
シリンジ。
【請求項２】
前記プランジャーの基端には、凸面を基端に向けるよう設けられた弓形形状板状のフランジを有する、請求項１に記載のシリンジ。
【請求項３】
前記ノズルの先端位置は、バレルの軸方向から見たときに、バレルの外周よりも外方へ突出する位置となっている、請求項１または２に記載のシリンジ。
【発明の詳細な説明】
【技術分野】
【０００１】
本発明は、治療に使用するシリンジに関する。詳しくは、高粘度の材料を排出するために用いられるシリンジに関する。
【背景技術】
【０００２】
従来より、歯牙の微少欠損部を修復するのに、歯科用感光性充填材が用いられている。この微少欠損部に歯科用感光性充填材を充填し、その後、活性光線を照射することによって歯科用感光性充填材を重合硬化させる方法が用いられている。
【０００３】
歯科用感光性充填材を欠損部に充填させる際には、シリンジ状の器具が用いられる。口腔内での充填操作をするには操作の自由度が制限されるので、シリンジ状器具からの感光性充填材の充填操作は口腔外で行われる。そのため、歯牙の欠損部に感光性充填材を充填するにはシリンジ状の器具にノズルを具備することが必要である。
【０００４】
このノズルは、その先端が歯牙の欠損部に容易に到達できるように、屈曲しているものが多く見られる。しかしながら、感光性充填材は粘性が高いため、ノズルの断面積が感光性充填材の排出方向（ノズル側）に向かって急激に減少すると、感光性充填材の、ノズルの内壁にかかるずり応力が急激に強くなり、感光性充填材の排出の効率が悪くなってしまう。
【０００５】
そこで、歯科用感光充填材を容易に押し出し可能なようにノズル部分がテーパ状に形成されているものがある（特許文献１）。ノズル部分をテーパ状とすることによって、先端へ向かって漸次減少する内腔の断面積の減少率を緩やかにしている。これにより、断面積の急激な減少を抑え、シリンジ内部に充填された歯科用感光充填材のノズル内壁にかかる、押し出し時のずり応力が急激にかからないようになる。
【０００６】
【特許文献１】特開２０００−１０７２９８号
【発明の開示】
【発明が解決しようとする課題】
【０００７】
しかしながら、シリンジ状器具の先端に設けられるノズルの形状を、上記文献に見られるように屈曲させたテーパ状にすると、ノズル先端より排出された感光性充填材は、真下に排出されず、ノズル先端の外周面に巻き付くような形で排出する挙動をするため、感光性充填材が歯牙の欠損部に確実に排出しにくいことがある。そこで、排出の効率を下げずに、かつ、排出された感光性充填材が確実に歯牙の欠損部に充填可能である器具が必要である。
【０００８】
本発明の目的は、高粘度材料の排出の効率がよく、かつ充填部位に確実に排出可能なシリンジを提供することにある。
【課題を解決するための手段】
【０００９】
そこで、本発明者らは鋭意検討の結果、以下の発明に想到した。治療に使用するシリンジであって、両端が開口したバレルと、前記バレル先端に装着された、先端側の軸が基端側の軸に対して鈍角に屈曲するノズルと、前記バレルの基端側より挿入された、前記バレル内を液密に摺動可能なプランジャーとを含み、前記バレルの先端から前記ノズル先端までの内腔は先端に向かって縮径するテーパ状になっており、前記ノズルの先端は、ノズル先端側の軸に対して垂直な面を有しない中空円錐台状の先端部を有してなるシリンジである。
【００１０】
また、前記プランジャーの基端には、凸面を基端に向けるよう設けられた弓形形状板状のフランジが設けられてなる上記のシリンジである。
【００１１】
前記ノズルの先端位置は、バレルの軸方向から見たときに、バレルの外周よりも外方へ突出する位置となっている、上記のシリンジである。
【００１２】
上記シリンジを用いることにより、シリンジ内より高粘度の材料を排出する際には、テーパ状のノズル先端に設けられた、ノズル先端側の軸に対して垂直な面を有しない中空円錐台状の先端部によって、排出時に、シリンジ内部の材料が、シリンジ先端の外周面に巻き付くような挙動を抑えることが可能であり、本来、充填すべき部分に確実に材料を排出することが可能であることを見いだし本願発明に至った。なお、ノズル内腔はテーパ状であるため、ノズル内の断面積が先端方向に向かって急激に減少することはなく、排出の効率が悪くなることはない。
【発明の効果】
【００１３】
本発明のシリンジは、高粘度材料の排出の際、その効率がよく、かつ充填部位に確実に排出可能であるため医療に好適に用いることができる。
【発明を実施するための最良の形態】
【００１４】
以下、図を用いて本発明のシリンジを説明する。しかし、本発明は、これら図面に記載した実施態様例に限定されるものではない。
【００１５】
図１は、本発明のシリンジの一実施態様例の（ａ）縦断面図と、（ｂ）底面図である。図２は、図１のシリンジの（ａ）先端拡大縦断面と、（ｂ）ノズルの先端部拡大図である。図３は、図１のシリンジに備えられているプランジャーの側面図である。
【００１６】
本発明のシリンジについて、図１を用いて説明する。バレル１は、両端が開口した中空状であって、先端にはノズル螺合用のネジ山が設けられた接続部１１と、基端外壁には四方に張り出した方形の指掛け部１２とが形成されている。接続部１１には、中間付近で軸に対して屈曲した、先端に向かって縮径するテーパ状のノズル２が、ノズルの基端内壁に設けられたネジ溝によって接続部１１に接続されている。バレル１内には、液密に摺動可能にプランジャー３が収納されている。プランジャー３には、プランジャー３がバレル１内で液密に摺動可能なようにＯ−リング３１が備えられ、プランジャー３の先端形状は、バレルの先端側の空間と略同一に形成されている。プランジャー３の基端には、フランジ３２が形成されており、このフランジ３２は、基端側に凸面を向ける弓形形状板状である。ノズル先端外周には、拡大図の図２にも示されるように、先端部が形成されている。
【００１７】
ノズル先端に、ノズル先端側の軸に対して垂直な面を有しない中空円錐台状の先端部を有することによって、屈曲するノズルから押し出された高粘度の材料は、ノズル先端に影響されることがなくなるため、巻き付くように排出されることがない。よって、確実に欠損部へ材料を充填させることが可能である。
【００１８】
本発明のシリンジに用いられる材質については、シリンジとして用いることが可能なものであってシリンジ内部に充填される材料と反応しないものであれば特に限定されるものではない。用いられる材質としては、例えば、プロピレン等が挙げられる。また、シリンジ内部に充填される材料が感光性充填材の場合は、シリンジに遮光性をもたせればよく、その遮光方法に関しては、材質が遮光性のものを用いても、遮光性の素材で被覆する方法を用いてもよい。
【００１９】
図２に示されるように、ノズル１については、屈曲前後の部分それぞれにおいてテーパ状に形成されており、その屈曲角度はノズルの基端側の軸とノズルの先端側の軸とが形成する角αが鈍角を形成するものであればよい。また、ノズル先端の先端部は、ノズル先端側の軸とノズル先端部の傾斜とで形成される角β及びノズル先端側のテーパ外周面の延長とノズル先端部の傾斜とで形成される角γが共に鋭角となる。さらに、ノズルの先端位置は、バレルの軸方向から見たときに、バレルの外周よりも外方へ突出する位置となっていることが好ましい。
【００２０】
本発明のプランジャー３は、図３に示されるように、先端側がバレル先端の内腔（テーパ形状）と略同形状に形成されて、その基端に設けられたＯ−リング３１によってバレル内を液密に摺動可能となるように設けている。そのため、バレルが先端に向かって漸次縮径する形状であっても、シリンジ内の材料を最後まで排出することが可能である。また、プランジャー３には、凸面を基端に向けるよう設けられた弓形形状板状のフランジ３２と、フランジの先端側、即ちプランジャー基端側にバレル内径よりも外径が大きい非進入部３３が備えられている。フランジを弓形形状板状に形成すると、材料を押し出す際、母指球にフィットし、非進入部を備えることで、プランジャーをバレル内に押しきった状態まで指掛け部とフランジとの間に力が効率よく伝達し、容易にバレル内から材料を押し出す事が可能である。これらの構成をとることによって、バレルの中に充填されている材料が高粘度の場合に、力が効率よく押し出し操作に伝達するため好ましい。
【００２１】
指掛け部１２が四方に突出しているため、プランジャーを回転させることによってノズルを最適な方向に向けることが可能であり、高粘度材料の充填部位によって操作しにくいといったことがなく、部位によらず効率よく排出が可能である。
【産業上の利用可能性】
【００２２】
本発明のシリンジは、上述のように、高粘度材料の排出の際、その効率がよく、かつ充填部に確実に排出可能であるため医療に好適に用いることができる。
【図面の簡単な説明】
【００２３】
【図１】（ａ）本発明のシリンジの一実施態様例の縦断面図。（ｂ）（ａ）に図示されたシリンジの底面図。
【図２】（ａ）図１のシリンジの先端拡大縦断面。（ｂ）ノズルの先端部拡大図。
【図３】（ａ）図１のシリンジに備えられたプランジャーの側面図。
【符号の説明】
【００２４】
１    バレル
１１  接続部
１２  指掛け部
２    ノズル
２１  先端部
３    プランジャー
３１  Ｏ−リング
３２  フランジ
３３  非進入部
【図１】
0005101968.tif 000002
【図２】
0005101968.tif 000003
【図３】
0005101968.tif 000004